(57)【特許請求の範囲】
【請求項１】
電気装置のハウジングの壁（１８）に装着するグロメット（１）であって、
コンタクトを有するプラグ部（２６）が挿入される、フランジ状の突合わせ部（６）を有する取付けスリーブ（２）と、取付けスリーブ（２）の少なくとも一部に外側から噛み合うテンション部材（３′）とを含んで構成され、
プラグ部（２６）は、取付けスリーブ（２）にねじ込まれるねじ込みスリーブ（２８）を有するソケットと連結されるように構成され、
突合わせ部（６）は、取付けスリーブ（２）を挿入する壁（１８）の開口部（２１）を封止する弾性環状シール（５）を備え、
テンション部材（３′）が取付けスリーブ（２）と噛み合うことにより、取付けスリーブ（２）の突合わせ部（６）が環状シール（５）と共に壁（１８）に押圧される方向に力が働き、
テンション部材（３′）は、取付けスリーブ（２）の外側に形成された被係止手段（１２）と噛み合う、内方に突出する少なくとも１つの係止手段（１７）を有する円筒状のテンションスリーブ（３）であり、
取付けスリーブ（２）は、プリント基板に半田付けされプラグ部（２６）が挿入されるように形成され、ねじ込みスリーブ（２８）の外ネジ（２９）と螺合する内ネジ（１０）を有し、且つ空隙（８）により分割された軸方向に伸長する複数のスリーブ片（７）を有し、
テンションスリーブ（３）は、取付けスリーブ（２）の空隙（８）を通って取付けスリーブ（２）の内側へと突出する、側方に伸長する側方ウェブ（１４）を内側に有し、且つねじ込みスリーブ（２８）を取付けスリーブ（２）にねじ込むことにより、テンションスリーブ（３）が突合わせ部（６）の方向に動かされて、ねじ込みスリーブ（２８）がテンションスリーブ（３）の側方ウェブ（１４）を押圧することを特徴とする電気装置のハウジングの壁に装着するグロメット。
【請求項２】
取付けスリーブ（２）の内ネジ（１０）はスリーブ片（７）の内壁（９）に形成され、取付けスリーブ（２）の被係止手段（１２）がスリーブ片（７）の外壁（１１）に形成されることを特徴とする請求項１に記載の電気装置のハウジングの壁に装着するグロメット。
【請求項３】
テンションスリーブ（３）はその内側に、プラグ部（２６）の差込み部分（２５）が挿入される円筒状の案内スリーブ（１３）を有し、案内スリーブ（１３）は側方ウェブ（１４）に一体的に形成され、テンションスリーブ（３）と案内スリーブ（１３）との間に環状空隙（３１）が形成されることを特徴とする請求項１又は請求項２に記載の電気装置のハウジングの壁に装着するグロメット。
【請求項４】
可撓テンションリング（４）が、突合わせ部（６）とテンションスリーブ（３）との間に装着されていることを特徴とする請求項１に記載の電気装置のハウジングの壁に装着するグロメット。
【請求項５】
取付けスリーブ（２）が挿入される壁（１８）の開口部（２１）の径は、取付けスリーブ（２）の径よりも大きく形成され、
弾性環状シール（５）はシール効果を有し、且つ取付けスリーブ（２）が横方向に可動であるように、テンションスリーブ（３）が取付けスリーブ（２）を壁（１８）に対して予備的に押圧する第一の係止位置に設定されることを特徴とする請求項１に記載の電気装置のハウジングの壁に装着するグロメット。
【請求項６】
ねじ込みスリーブ（２８）を取付けスリーブ（２）にねじ込むことにより、前記第一の係止位置が解除されることを特徴とする請求項５に記載の電気装置のハウジングの壁に装着するグロメット。
【請求項７】
ねじ込みスリーブ（２８）を取付けスリーブ（２）にねじ込むことにより、取付けスリーブ（２）が壁（１８）を封止するように壁（１８）に押圧されることを特徴とする請求項１に記載の電気装置のハウジングの壁に装着するグロメット。
【請求項８】
テンションスリーブ（３）が樹脂材料から形成されていることを特徴とする請求項１に記載の電気装置のハウジングの壁に装着するグロメット。
【発明の詳細な説明】
【技術分野】
【０００１】
本発明は、ハウジング壁へ取付けるグロメットに関する。グロメットは、コンタクトを有するプラグ部が挿入される、フランジ状の突合わせ部を有する取付けスリーブと、その取付けスリーブの少なくとも一部に外側から螺合するテンション部材とを含んで構成される。前記プラグ部は、前記取付けスリーブにねじ込まれるねじ込みスリーブを有するソケットと連結されるように構成され、前記突合わせ部は、前記取付けスリーブを挿入する壁の開口部を封止する弾性環状シールを備え、前記テンション部材が前記取付けスリーブと螺合することにより、前記取付けスリーブの突合わせ部が環状シールと共に前記壁に押圧される方向に力が働き、前記テンション部材は、前記取付けスリーブの外側に形成された被係止部材と噛み合う、内方に突出する少なくとも１つの係止手段を有する円筒状のテンションスリーブとして形成されている。
【背景技術】
【０００２】
電気及び電子装置は、一部をハウジングの外側に出して導線との連結をし易くした差込み式コネクターを備えることもある。この目的のために、組み上がった状態において、壁に固定して壁を貫通するグロメットが知られている。このようなグロメットは、周囲に環状のカラーを備え、壁にねじ込む方式の壁との間にシールを備えた環状取付けスリーブとして設計されることがある。この取付けスリーブは、例えばピン状及び／又はブッシュ状のプラグを有する絶縁体のような、コンタクトを備えたプラグ部が挿入されるように構成されている。プラグ部は、結線を介してプリント基板に連結するか又は直接に半田付けしてもよい。プラグ部が半田付けされたプリント基板は、直接にハウジング壁に固定するか、又はプラグ部が差込み分部分と共に取付けスリーブ内に突出するように、ハウジング壁に近接した位置に配置される。突合せ部として使われる取付けスリーブの環状カラーは、装置の壁の内側又は壁の外側に在ってもよい。既存のグロメットの取付けスリーブは、プリント基板がハウジングに装着される前に壁にネジ止めされることが多い。
【０００３】
製造工程では、プリント基板の固定部材及びハウジングの取付けスリーブの開口の位置、並びにプリント基板のプラグ部の位置は、プラグ部の取付けスリーブの中心軸からずれの許容差に支配される。プラグ部の位置が、設計と合わないと、プリント基板に装着した差込み部分を取付けスリーブへの嵌合させる際に、問題が生ずる。ずれの程度によっては、プラグ部が取付けスリーブに挿入できないか、又は偏心してしか挿入できないので、同心状に整列するには取付けスリーブの径方向の再調整が必要となる。複数のプラグ部がプリント基板に装着され、それぞれに取付けスリーブが割り当てられている場合に、この問題が生ずる可能性が高い。
【０００４】
特許文献１は、パネル状の物体に取付けるグロメットとしての差込み式コネクター用のソケットを開示している。該ソケットは、コンタクトが配置された絶縁体を備え、絶縁体の両側から差込み式コネンクターが差込まれるように構成されている。ソケットは、絶縁体が装着され固定スリーブを備え、固定スリーブの外部にほぼ同心となるように、環状カラーを備え、環状カラーを介して係止部材が固定スリーブを動かないように固定するように構成されている。係止部材は、一体的に形成された多数の空隙を有する係止リング及び内側に突出する複数の係止突起を有している。封止及びずれを補償するために、封止リングが固定スリーブの環状前面と壁の間に装着され、係止部材が固定スリーブを係止すると押圧される。
【０００５】
しかしながら、特許文献１に記載のグロメットは、係止機構が多数の部品から成り複雑な構造となり、パネルなどへの取付けに手間が掛ること並びにグロメットを径方向へ動かして偏心の無いように調整することが難しいとの問題点がある。
【先行技術文献】
【特許文献】
【０００６】
【特許文献１】独国実用新案第２０３１５６６６号明細書
【発明の概要】
【発明が解決しようとする課題】
【０００７】
上記の従来技術の問題に鑑み、本発明では、寸法が変化しても問題無く、壁に仮装着した取付けスリーブに、プリント基板に半田付けされたプラグ部を正確に挿入できるグロメットを提案することにある。
【課題を解決するための手段】
【０００８】
上記課題は、以下の（１）〜（８）のいずれかの構成により解決される。
【０００９】
（１）電気装置のハウジングの壁に装着するグロメットであって、コンタクトを有するプラグ部が挿入される、フランジ状の突合わせ部を有する取付けスリーブと、前記取付けスリーブの少なくとも一部に外側から噛み合うテンション部材とを含んで構成され、前記プラグ部は、前記取付けスリーブにねじ込まれるねじ込みスリーブを有するソケットと連結されるように構成され、前記突合わせ部は、前記取付けスリーブを挿入する前記壁の開口部を封止する弾性環状シールを備え、前記テンション部材が前記取付けスリーブと噛み合うことにより、前記取付けスリーブの突合わせ部が前記環状シールと共に前記壁に押圧される方向に力が働き、前記テンション部材は、前記取付けスリーブの外側に形成された被係止手段と噛み合う、内方に突出する少なくとも１つの係止手段を有する円筒状のテンションスリーブであり、前記取付けスリーブは、プリント基板に半田付けされ前記プラグ部が挿入されるように形成され、前記ねじ込みスリーブの外ネジと螺合する内ネジを有し、且つ空隙により分割された軸方向に伸長する複数のスリーブ片を有し、前記テンションスリーブは、前記取付けスリーブの空隙を通って前記取付けスリーブの内側へと突出する、側方に伸長する側方ウェブを内側に有し、且つ前記ねじ込みスリーブを前記取付けスリーブにねじ込むことにより、前記テンションスリーブが前記突合わせ部の方向に動かされて、前記ねじ込みスリーブが前記テンションスリーブの側方ウェブを押圧することを特徴とする電気装置のハウジングの壁に装着するグロメット。
【００１０】
（２）前記取付けスリーブの内ネジは前記スリーブ片の内壁に形成され、前記取付けスリーブの被係止手段が前記スリーブ片の外壁に形成されることを特徴とする前記（１）に記載の電気装置のハウジングの壁に装着するグロメット。
【００１１】
（３）前記テンションスリーブはその内側に、前記プラグ部の差込み部分が挿入される円筒状の案内スリーブを有し、前記案内スリーブは前記側方ウェブに一体的に形成され、前記テンションスリーブと前記案内スリーブとの間に環状空隙が形成されることを特徴とする前記（１）又は（２）に記載の電気装置のハウジングの壁に装着するグロメット。
【００１２】
（４）可撓テンションリングが、前記突合わせ部と前記テンションスリーブとの間に装着されていることを特徴とする前記（１）に記載の電気装置のハウジングの壁に装着するグロメット。
【００１３】
（５）前記取付けスリーブが挿入される前記壁の開口部の径は、前記取付けスリーブの径よりも大きく形成され、前記弾性環状シールはシール効果を有し、且つ前記取付けスリーブが横方向に可動であるように、前記テンションスリーブが前記取付けスリーブを前記壁に対して予備的に押圧する第一の係止位置に設定されることを特徴とする前記（１）に記載の電気装置のハウジングの壁に装着するグロメット。
【００１４】
（６）前記ねじ込みスリーブを前記取付けスリーブにねじ込むことにより、前記第一の係止位置が解除されることを特徴とする前記（５）に記載の電気装置のハウジングの壁に装着するグロメット。
【００１５】
（７）前記ねじ込みスリーブを取付け前記スリーブにねじ込むことにより、前記取付けスリーブが前記壁を封止するように前記壁に押圧されることを特徴とする前記（１）に記載の電気装置のハウジングの壁に装着するグロメット。
【００１７】
（８）前記テンションスリーブが樹脂材料から形成されていることを特徴とする前記（１）に記載の電気装置のハウジングの壁に装着するグロメット。
【発明の効果】
【００１８】
本発明により、ソケットが無くても、壁を封止して側方に可動な状態に予備的に装着でき、且つ工具を使わずに壁に装着できるグロメットの提供が可能となった。
【図面の簡単な説明】
【００１９】
【図１ａ】本発明によるグロメットの一例の組み上がった状態を示す側面図
【図１ｂ】図１ａに示すグロメットの分解斜視図
【図２】図１に示すグロメットのハウジングの壁への取付け方を説明する斜視図
【図３ａ】取付けスリーブの拡大斜視図
【図３ｂ】取付けスリーブの拡大平面図
【図４ａ】テンションスリーブの上方からの斜視図
【図４ｂ】テンションスリーブの下方からの斜視図
【図５ａ】本発明によるグロメットがハウジングの壁に装着された状態を示す断面図
【図５ｂ】図５ａのグロメットのプラグ部にソケット部がねじ込まれた状態を示す断面図
【図６】図５ｂのグロメットがハウジングの壁に固定された状態を示す側面図
【発明を実施するための形態】
【００２０】
本発明によるグロメットの基本的な考え方は、取付けスリーブの外径を、壁の開口部よりやや小さくして、グロメットが壁を封止し、横方向に可動に壁に予め付勢されており、一旦プラグ部が挿入されると、動かないように固定されるグロメットを提供することにある。環状であり取付けスリーブの周りに伸長する突合わせ部は、壁の内側に配置され、取付けスリーブの周りに装着されるテンション部材は、壁の外側に配置される。
【００２１】
本発明のグロメットのテンション部材は、円筒状のテンションスリーブとして形成されている。テンションスリーブは、取付けスリーブの外側に形成された少なくとも１つの被係止手段と噛み合う少なくとも１つ内方に突出した係止手段を有している。係止手段と被係止手段は、ハウジングの壁に仮止めされた取付けスリーブが横方向に可動であるように、形成され配置されている。壁の内側の突合わせ部内に環状シールが装着され、取付けスリーブが側方へ変位できる程度に、突合わせ部と共に壁を押圧しており、必要に応じて僅かな力により、取付けスリーブとプラグ部の差込み部分が適合するように調整できる。当然のことながら、突合わせ部及び環状シールの径は、壁の開口部の径よりも十分に大きく選定する。一旦差込み部分が取付けスリーブに挿入されると、取付けスリーブ又はテンションスリーブに一体的に形成された固定手段により、取付けスリーブをハウジングの壁に動かないように固定できる。グロメットの一部ではない固定手段を、例えば装置の壁又はソケット部に形成してもよい。ソケット部に形成された固定手段は、引抜きできないようにグロメットに連結される。この場合、固定手段は、直接に壁に保持されるか、テンションスリーブを介して壁に保持されて、取付けスリーブに力が加えられて壁の方向に動き、終には突合わせ部が壁に固く押圧される。テンションスリーブは、金属又は樹脂製であり、横方向に少なくとも１部が可撓性であることが好ましい。
【００２２】
本発明の取付けスリーブは、ソケット部のねじ込みスリーブの外ネジに対応する内ネジを有している。取付けスリーブは、軸方向に伸長する空隙により分割された複数のスリーブ片を備えるように形成される。横方向に伸長する側方ウェブが、テンションスリーブの内側に形成され、取付けスリーブの空隙を経て取付けスリーブの内側に突出する。このような構成により、ねじ込みスリーブを取付けスリーブへとねじ込むことにより、テンションスリーブは突合わせ部の方向へ動かされ、ねじ込みスリーブは、テンションスリーブの側方ウェブを押す。本発明のグロメットは、プリント基板に半田付けされ配置されたプラグ部が挿入できるように設計されている。
【００２３】
取付けスリーブは、ねじ込みスリーブの外ネジに対応する内ネジを有している。この構成は、プラグ部の差込み部分と内壁の間に環状の空間が形成され、その空間にねじ込みスリーブの外ネジを有するねじ込み部分が挿入できることを意味する。このようにして、ねじ込みスリーブにより、ソケットの引き抜きが防止される。ソケット部のねじ込みスリーブが、取付けスリーブにねじ込まれるにつれて、ねじ込みスリーブのねじ込み部分はその前面が、テンションスリーブの側方ウェブに保持されて、テンションスリーブは取付けスリーブの突合わせ部の方向に動く。このようにして、ねじ込みスリーブのねじ込み部分は、突合わせ部を壁に押圧する固定手段として作動する。このようにして、テンションスリーブは、可撓性テンションリングを介してか又は直接に外側から壁に支えられる。ねじ込みスリーブが、取付けスリーブにねじ込まれるにつれて可撓性テンションリングはより付勢される。テンションスリーブが軸方向に変位するため、壁の内側のシール対する圧力が増大して、封止効果が増すと共に、取付けスリーブは壁に開口部に対して側方に動けないように固定される。取付けスリーブ及びテンションスリーブの設計により、ソケット部がグロメットから外されても、シールに対する圧力は保持される。
【００２４】
一実施態様では、テンションスリーブの内側に、プラグ部の差込み部分用の円筒状の案内スリーブを有している。該案内スリーブは、側方ウェブに一体的に形成され、側方ウェブに保持され、テンションスリーブと案内スリーブの間の環状の空間を制限している。案内スリーブの外側は、プラグ部の差込み部分を側方から支えるように差込み部に接することが好ましい。このようにして、プラグ部の差込み部分と取付けスリーブとの配列が安定化する。
【００２５】
本発明の特徴は、突合わせ部とテンションスリーブの間に可撓性テンションリングを配置したことであり、テンションスリーブが取付けスリーブに係止されると、所定の低い圧力により、必要に応じて取付けスリーブがまだ横方向に動かせる程度に、弾性のあるシールを壁に押圧する。
【００２６】
好適な一実施態様では、テンションスリーブが取付けスリーブを予備付勢して壁に押圧してシール効果はあるが、取付けスリーブが横方向に可動な第１の係止位置が設定される。取付けスリーブは、取付けスリーブよりも大きな径の開口部に取付けられ、取付けスリーブと開口部の縁の間に環状空隙が形成されて、取付けスリーブを側方へ変位させて、プラグ部との配列の調整ができる。この空隙は、許容差に基づいて算出される。
【００２７】
ねじ込みスリーブを取付けスリーブにねじ込むことにより、テンションスリーブと取付けスリーブとの第１の係止位置が解除される。ねじ込みスリーブが取付けスリーブにねじ込まれるにつれて、ねじ込みスリーブのねじ込み部分は、係止を解除するのに十分な力をテンションスリーブの係止手段及び／又は取付けスリーブの被係止手段に伝達する。係止手段又は被係止手段を損傷することなく係止が解除されるので、以後においても、テンションスリーブと取付けスリーブを第１の係止位置で保持することが可能である。
【００２８】
他の実施態様では、テンションスリーブと取付けスリーブの第２の係止位置を設定できる。第２の係止位置は、第１の係止位置よりも突合わせ部に近く、ねじ込みスリーブがグロメットから外されると、テンションスリーブは取付けスリーブに対して軸方向に動けないように固定される。この場合、第２の係止位置は、解除できないか、又は工具を用いた場合にのみ解除できることが好ましい。
【００２９】
本発明の特徴は、ソケットが無くても、壁を封止して側方に可動な状態にグロメットを予備的に装着できることにある。更に、工具を使わずに装着ができることも特徴である。本発明によるグロメットは、壁の厚さが変わっても直接に使用できるか、又は簡単に適合できる。
【００３０】
以下、図面を用いて本発明による実施例の特徴及び長所を説明する。
【実施例】
【００３１】
図１ａは、フランジ状の取付けスリーブ２、テンション部材３′としての筒状のテンションスリーブ３、可撓性テンションリング４及び弾性の環状シール５から成るグロメット１の一例を示す。図１ａは、組み上がった状態のハウジング取り付型のグロメット１の側面図であり、図１ｂは、分解斜視図である。図１ａに図示されている環状シール５は、図１ｂでは、取付けスリーブ２に連結されてその周囲に拡がる突合わせ部６に隠れている。取付けスリーブ２は、空隙８により２つのスリーブ片７に分割されている。スリーブ片７はその内壁９に内ネジ１０が形成され、外壁１１に環状溝として形成された被係止手段１２を備えている。テンションスリーブ３は、複数の側方ウェブ１４を介してテンションスリーブ３に連結されて一体的に形成された案内スリーブ１３を備えている。テンションスリーブ３の案内スリーブ１３から離れた端は分割された形状となっている。テンションスリーブ３は、縦方向のスロット１６により分割された２つの可撓性脚部１５を有する。脚部１５の自由端には、内側へと突出する係止手段１７（図４ａ参照）が形成され、取付けスリーブ２の外側に形成された被係止手段１２と噛み合うように構成されている。
【００３２】
図２は、図１のグロメット１のハウジング（不図示）の壁１８への取付け方を示す。壁１８は内側１９及び外側２０を有する。壁１８の内側１９は（不図示の）装置の内部である。壁１８は取付けスリーブ２を受容する開口部２１を有する。開口部２１は、円筒状の取付けスリーブ２に対応した円形である。突合わせ部６に装着された環状シール５を備えた取付けスリーブ２を壁の内側１９から開口部２１に挿入し、環状シール５が内側１９に押圧されるまで押し込んで、グロメット１を壁１８に装着する。次いで可撓性テンションリング４を外側２０から取付けスリーブ２に嵌め込んで、テンションスリーブ３を取付けスリーブ２の外側と噛み合うように組み込む。組み込みの際には、テンションスリーブ３の側方ウェブ１４が、取付けスリーブ２の空隙８に合うように配置する。
【００３３】
図３ａは、取付けスリーブ２の拡大斜視図で、図３ｂは拡大平面図である。図３ａから、取付けスリーブ２の空隙８は、突合わせ部６の近くまで伸長していることがわかる。図３ａには、環状シール５を示さずに、突合わせ部６が、環状シール５を受ける環状凹部２２を備えていることを示している。取付けスリーブ２の突合わせ部６から離れた端部に、テンションスリーブ３の係止手段１７に噛み合うスリーブ片７の被係止手段１２が示されている。被係止手段１２は、取付けスリーブ２の周方向に伸長する溝として形成されている。図３ｂは、スリーブ片７及び空隙８を備えた取付けスリーブ２を上から見た図であり、突合わせ部６及び凹部２２に装着された環状シール５も示されている。
【００３４】
図４ａは、テンションスリーブ３を上方から見た斜視図であり、可撓性脚部１５が示され、その自由端には取付けスリーブ２の被係止手段１２と噛み合う係止手段１７を備えている。軸方向に伸長するスロット１６により、脚部１５がテンションスリーブ３の固定脚部２３から分離されている。２つの固定脚部２３の内側に突出した案内ウェブ２４が軸方向に伸長し、案内スリーブ１３を保持する側方ウェブ１４と連結している。図４ｂは、テンションスリーブ３を下方から見た斜視図である。図４ｂでは、側方ウェブ１４及び案内スリーブ１３が図４ａよりもよく見える。この図では、テンションスリーブ３と案内スリーブ１３の間の環状空隙３１が見える。この環状空隙３１は、組立の際に、スリーブ片７を受けるように構成されている。
【００３５】
図５ａは、グロメット１が壁１８に装着され、プラグ部２６の差込み部分２５が挿入された状態の断面図であり、差込み部分２５に嵌合するソケット部を省略してある。プラグ部２６は、プリント基板２７に装着されている。突合わせ部６は、環状リング５と共に壁１８に押圧され、取付けスリーブ２が壁１８の外側に突出している。取付けスリーブ２は、その被係止手段１２がテンションスリーブ３の係止手段１７と噛み合うことにより、テンションスリーブ３を第１の係止位置に保持する。可撓性テンションリング４が、壁１８とテンションスリーブ３の間に配置されている。テンションスリーブ３は、可撓性テンションリング４を予め付勢して突合わせ部６を壁１８の内側に押圧する。被係止手段１２と係止手段１７は、テンションスリーブ３が壁１８の外側２０を押圧するまで、軸方向に突合わせ部６の方向に変位できるように構成されている。
【００３６】
図５ｂは、図５ａのグロメット１のプラグ部２６にソケット部のねじ込みスリーブ２８をねじ込んだ状態を示す。ねじ込みスリーブ２８が取付けスリーブ２へとねじ込まれるにつれて、テンションスリーブ３は突合わせ部６の方向に動かされる。このため、ねじ込みスリーブ２８の先端部分の外側に、取付けスリーブ２の内ネジ１０に適合する外ネジ２９が形成されている。図では、外ネジ２９が形成されたねじ込みスリーブ２８の先端部３０は、シールリング３２を介してその前面が側方ウェブ１４及び案内スリーブ１３を押圧して、テンションスリーブ３が突合わせ部６の方向へ動かされる。可撓性テンションリング４は、テンションスリーブ３により押圧されて平らになる。
【００３７】
図６は、プラグ部２６の差し込み部分２５が取付けスリーブ２に挿入されて、グロメット１が壁１８に固定された状態を示す側面図である。突合わせ部６は環状シール５と共に壁１８に押圧される。このため、ねじ込みスリーブ２８が取付けスリーブ２へねじ込まれてテンションスリーブ３の前面が壁１８を押圧する。この図から、テンションスリーブ３は、取付けスリーブ２に対して第１の係止位置から突合わせ部６の方向へ変位していることがわかる。この図及び図５から、テンションスリーブ３の係止手段１７は、取付けスリーブ２の被係止手段とは噛み合っていないことがわかる。
【符号の説明】
【００３８】
１    グロメット
２    取付けスリーブ
３    テンションスリーブ
４    可撓性テンションリング
５    環状シール
６    突合わせ部
７    スリーブ片
８    空隙
９    （スリーブ片の）内壁
１０  （内壁の）内ネジ
１１  （スリーブ片の）外壁
１２  被係止手段
１３  案内スリーブ
１４  側方ウェブ
１５  可撓性脚部
１６  スロット
１７  係止手段
１８  （ハウジングの）壁
１９  （壁の）内側
２０  （壁の）外側
２１  開口部
２２  環状凹部
２３  固定脚部
２４  案内ウェブ
２５  差し込み部分
２６  プラグ部
２７  プリント基板
２８  ねじ込みスリーブ
２９  （ねじ込みスリーブの）外ネジ
３０  （ねじ込みスリーブの）先端部
３２  シールリング
【図１ａ】
0005876903.tif 000002
【図１ｂ】
0005876903.tif 000003
【図２】
0005876903.tif 000004
【図３ａ】
0005876903.tif 000005
【図３ｂ】
0005876903.tif 000006
【図４ａ】
0005876903.tif 000007
【図４ｂ】
0005876903.tif 000008
【図５ａ】
0005876903.tif 000009
【図５ｂ】
0005876903.tif 000010
【図６】
0005876903.tif 000011